(57)【要約】【課題】互いに合体するコネクタ分割体同士の間に発生する累積ピッチ公差を確実に吸収でき、防水シール性を高めたレバー嵌合式コネクタを提供する。【解決手段】雄コネクタ５を第１コネクタ分割体４Ａと第２コネクタ分割体４Ｂとが結合する構成とし、第１コネクタ分割体４Ａの結合面１５に嵌合方向に沿って係合突起１６を突設し、第２コネクタ分割体４Ｂの結合面１７に係合突起１６を収納する係合溝１８を形成した。結合面１５、１７同士の間にクリアランスが生じるように係合突起１６の突出長さと係合溝１８の深さが設定されている。【選択図】図２
2005166278.tif 000002
【特許請求の範囲】
【請求項１】
複数の雌コネクタ用接続端子が所定ピッチで配置され、これら接続端子全体を取り囲む嵌合フード部を有する雌コネクタと、前記嵌合フード部に嵌合され、且つ前記雌コネクタ用接続端子に接続される複数の雄コネクタ用接続端子が配置された雄コネクタと、該雄コネクタに回動自在に設けられて回動により雄コネクタと雌コネクタとを嵌合離脱させるレバーとを備えたレバー嵌合式コネクタであって、
前記雄コネクタは、複数のコネクタ分割体が結合されて構成され、前記コネクタ分割体同士は、嵌合方向に沿った結合面同士が弾性部材を介して対向した状態で、前記結合面に垂直な方向に所定の長さ範囲で接離可能に保持されていることを特徴とするレバー嵌合式コネクタ。
【請求項２】
請求項１記載のレバー嵌合式コネクタであって、
前記弾性部材は、互いに隣接する前記コネクタ分割体の前記結合面の一方から他方へ向けて斜め方向に突設された一対の係合突起でなり、
該一対の係合突起は自由端へ向けて互いに距離を広げるように拡開して形成され、
前記結合面の他方には、前記一対の係合突起を収容して保持する被係合溝が形成されていることを特徴とするレバー嵌合式コネクタ。
【請求項３】
請求項２記載のレバー嵌合式コネクタであって、
前記係合突起は、前記雌コネクタと前記雄コネクタの嵌合方向に沿って突堤状に形成され、
前記被係合溝は、前記嵌合方向に沿って形成されていることを特徴とするレバー嵌合式コネクタ。
【請求項４】
請求項３記載のレバー嵌合式コネクタであって、
互いに隣接する結合面同士は、いずれか一方の前記結合面に形成されたロックアームが他方の前記結合面に形成されたロック穴に係合することにより保持されることを特徴とするレバー嵌合式コネクタ。
【発明の詳細な説明】
【技術分野】
【０００１】
本発明は、一方のコネクタに設けたレバーを回動させることにより他方の相手コネクタを嵌合させるレバー嵌合式コネクタに関し、特にレバーが設けられた一方のコネクタを複数のコネクタ分割体を合体させて構成する合体構造に関する。
【背景技術】
【０００２】
従来のレバー嵌合式コネクタとしては、嵌合フード部を有する雌コネクタと、嵌合フード部に嵌合・離脱される雄コネクタ本体を有する雄コネクタと、嵌合フード部の内壁あるいは雄コネクタの外周に回動自在に支持されたレバーとからなるものが知られている（例えば、特許文献１及び特許文献２参照。）。このレバー嵌合式コネクタでは、レバーを回動させることにより、雄コネクタ本体を嵌合フード部に嵌合し、あるいは嵌合フード部内から雄コネクタ本体を離脱させるようになっている。
【０００３】
このようなレバー嵌合式コネクタでは、雄コネクタに収容されている雄端子と、雌コネクタに収容されている雌端子とを、嵌合フード部に押すコネクタ本体を嵌合させることで接続し、嵌合フード部から雄コネクタ本体を離脱することでこれらの端子の接続を解除するようになっている。この場合、レバーによるてこの原理により、雌コネクタに雄コネクタを挿入する挿入力を低減することができる。
【０００４】
また、このようなレバー嵌合式コネクタにおいては、防水機能を持たせるために、雄コネクタ本体の外周面と嵌合フード部の内周面との間にシール部材を介在させると共に、雌コネクタのフード部の外側、雄コネクタ本体の外側（レバーの外側）にそれぞれ防水フード部を設けて、嵌合フード部と雄コネクタ本体との嵌合部位を覆ったものがある。
【０００５】
図５は、レバーが回動可能に支持される一方のコネクタが一対の第１コネクタ分割体１０１と第２コネクタ分割体１０２に分解された状態を示している。第１コネクタ分割体１０１の結合面１０３には、この第１コネクタ分割体１０１の嵌合方向と直角をなす方向に沿って突設された係合突部１０４が形成されている。また、第２コネクタ分割体１０２の結合面１０５には、上記係合突部１０４が上下方向から挿入される略凹溝状の被係合部１０６が形成されている。なお、係合突部１０４は、２条の係合突起１０４Ａ、１０４Ｂが自由端へ向けて互いに離れるように断面ハ字状に形成されてなる。被係合部１０６は、この係合突部１０４の突出寸法と同じ深さ寸法に設定され、第１コネクタ分割体１０１と第２コネクタ分割体１０２とのがたつきを防止している。図６は、これら第１コネクタ分割体１０１と第２コネクタ分割体１０２とが密に結合した状態を示している。
【０００６】
このように、上述したような第１コネクタ分割体１０１と第２コネクタ分割体１０２とを合体させるレバー嵌合式コネクタでは、結合部分を挟んで両側のコネクタ分割体の端子にピッチ公差の累積増加が問題になるため、結合面１０３、１０５を基準面として密着させる構造となっている。
【特許文献１】特開２００２−２８０１１１号公報
【特許文献２】特開２００２−３５９０２８号公報
【発明の開示】
【発明が解決しようとする課題】
【０００７】
しかしながら、上述した防水タイプのレバー嵌合式コネクタでは、第１コネクタ分割体１０１、第２コネクタ分割体１０２とに分割されるため、互いに嵌合するコネクタ同士の防水シール面の確保が必要となり、更なる寸法精度の向上、もしくは端子ピッチの累積公差の吸収構造が要望されている。
【０００８】
そこで、本発明の目的は、互いに合体するコネクタ分割体同士の間に発生する累積ピッチ公差を確実に吸収でき、防水シール性を高めたレバー嵌合式コネクタを提供することにある。
【課題を解決するための手段】
【０００９】
請求項１記載の発明は、複数の雌コネクタ用接続端子が所定ピッチで配置され、これら接続端子全体を取り囲む嵌合フード部を有する雌コネクタと、前記嵌合フード部に嵌合され、且つ前記雌コネクタ用接続端子に接続される複数の雄コネクタ用接続端子が配置された前記雄コネクタと、該雄コネクタに回動自在に設けられて回動により雄コネクタと雌コネクタとを嵌合離脱させるレバーとを備えたレバー嵌合式コネクタに関するものである。この発明に係るレバー嵌合式コネクタは、前記雄コネクタが、複数のコネクタ分割体が結合されて構成され、前記コネクタ分割体同士は、嵌合方向に沿った結合面同士が弾性部材を介して対向した状態で、前記結合面に垂直な方向に所定の長さ範囲で接離可能に保持されていることを特徴としている。
【００１０】
請求項２記載の発明は、請求項１記載のレバー嵌合式コネクタに関するものである。この発明に係るレバー嵌合式コネクタは、前記弾性部材が、互いに隣接する前記コネクタ分割体の前記結合面の一方から他方へ向けて斜め方向に突設された一対の係合突起でなり、該一対の係合突起は自由端へ向けて互いに距離を広げるように拡開して形成され、前記結合面の他方には、前記一対の係合突起を収容して保持する被係合溝が形成されていることを特徴としている。
【００１１】
請求項３記載の発明は、請求項２記載のレバー嵌合式コネクタに関するものである。この発明に係るレバー嵌合式コネクタは、前記係合突起が、前記雌コネクタと前記雄コネクタの嵌合方向に沿って突堤状に形成され、前記被係合溝は、前記嵌合方向に沿って形成されていることを特徴としている。
【００１２】
請求項４記載の発明は、請求項３記載のレバー嵌合式コネクタに関するものである。この発明に係るレバー嵌合式コネクタは、互いに隣接する結合面同士が、いずれか一方の前記結合面に形成されたロックアームが他方の前記結合面に形成されたロック穴に係合することにより保持されることを特徴としている。
【発明の効果】
【００１３】
この発明によれば、コネクタ分割体同士が弾性部材を介して、結合面に対して垂直な方向に所定の長さ範囲で接離可能に保持されているため、この合体した部分で端子ピッチの累積公差を吸収して、雌コネクタと雄コネクタとを無理なく嵌合させることができる。
【００１４】
また、この発明によれば、雌コネクタと雄コネクタとを無理なく嵌合させることができるため、雌コネクタの嵌合フード部に雄コネクタを正常に嵌合させることができる。このため、防水タイプのレバー嵌合式コネクタのように、雌コネクタの嵌合フード部の内周面と雄コネクタの外周面とでシール面を構成するように設計された構造である場合に、防水効果を高めることができる。
【００１５】
さらに、この発明によれば、弾性部材として機能する係合突起と、この係合突起を収納する被係合溝を嵌合方向に沿って形成しているため、嵌合荷重を分離することがなく、弾性部材によって隣接する結合面同士の間に形成されたクリアランスを有効に変化させることができる。
【００１６】
また、本発明によれば、結合面同士の一方にロックアームを、他方にロック穴を形成して位置決めできるため、コネクタ分割体同士が不完全に合体することを防止でき、確実な嵌合、接続が行える。
【発明を実施するための最良の形態】
【００１７】
以下、本発明を実施するための最良の形態に係るレバー嵌合式コネクタの構成について説明する。
【００１８】
本実施の形態に係るレバー嵌合式コネクタは、雌コネクタと雄コネクタとレバーと備えてなる。
【００１９】
雌コネクタは、複数の雌コネクタ用接続端子が所定ピッチで配置され、これら接続端子全体を取り囲む嵌合フード部を有する。
【００２０】
また、雄コネクタは、上記雌コネクタの嵌合フード部に嵌合され、且つ雌コネクタ用接続端子に嵌合して接続される複数の雄コネクタ用接続端子が所定のピッチで配置されている。
【００２１】
レバーは、上記雄コネクタに回動自在に支持されて回動により雄コネクタと雌コネクタとを嵌合・離脱させるものである。このレバーは、雌コネクタ側に一方の端部が掛止された状態で回動操作されることにより、てこの原理で雌コネクタと雄コネクタとの嵌合・離脱に要する力を低減させる機能を有している。
【００２２】
特に、本実施の形態では、雄コネクタが、複数のコネクタ分割体が結合されることにより構成されるものである。これらコネクタ分割体同士は、嵌合方向に沿った結合面同士が弾性部材として係合突起の反発性を有する撓みにより、結合面に垂直な方向に所定の長さ範囲で接離可能に保持されるようになっている。
【００２３】
また、係合突起は、互いに隣接するコネクタ分割体の結合面の一方から他方へ向けて斜め方向に突設された一対でなり、これら一対の係合突起は結合面側から自由端へ向けて互いに距離を広げるように拡開して断面が略ハ字状に形成されていることが好ましい。また、結合面の他方には、これら一対の係合突起を収容して保持する被係合溝が形成されている。なお、係合突起は、被係合溝に収納された状態で結合面同士の間に所定のクリアランスが設定されている。このような形状とすることにより、係合突起が撓むことによって発生する反発性を利用して互いに隣接する結合面同士の間の距離を変化させることができる。
【００２４】
また、係合突起と被係合溝は、雌コネクタと雄コネクタの嵌合方向に沿って形成されている。このように係合突起と被係合溝とを嵌合方向と並行に配置することにより、雌コネクタと雄コネクタとを嵌合させる際に、コネクタ分割体の嵌合荷重をそれぞれ分離させることができ、設定したクリアランスを無理なく使うことができる。
【００２５】
さらに、本実施の形態に係るレバー嵌合式コネクタでは、コネクタ分割体の互いに隣接する結合面同士が、いずれか一方の結合面に形成されたロックアームが他方の前記結合面に形成されたロック穴に係合することにより保持されるようになっている。このため、コネクタ分割体同士が不完全な合体をすることを防止して、雄コネクタが雌コネクタへ確実に嵌合するようになっている。
【００２６】
このような実施の形態に係るレバー嵌合式コネクタでは、コネクタ分割体同士が弾性部材としての係合突起を介して、結合面に対して垂直な方向に所定の長さ範囲で接離可能に保持されているため（クリアランスが設定されているため）、この合体した部分で端子ピッチの累積公差を吸収して、雌コネクタと雄コネクタとを無理なく嵌合させることができる。
【００２７】
また、このレバー嵌合式コネクタでは、上述のように雌コネクタと雄コネクタとを無理なく嵌合させることができるため、雌コネクタの嵌合フード部に雄コネクタを正常に嵌合させることができる。したがって、防水タイプのレバー嵌合式コネクタのように、雌コネクタの嵌合フード部の内周面と雄コネクタの外周面とでシール面を構成するように設計された構造である場合に、防水効果を高めることができる。
【実施例】
【００２８】
次に、本発明の実施例に係るレバー嵌合式コネクタについて図１〜図４を用いて詳細に説明する。なお、図１は本実施例に係るレバー嵌合式コネクタにおける雄コネクタと雌コネクタとを分離した状態を示す斜視図、図２は本実施例に係るレバー嵌合式コネクタにおいてレバーを取り外してコネクタ分割体同士を分離した状態を示す斜視図、図３はコネクタ分割体の結合部分を示す要部断面図、図４は雄コネクタと雌コネクタとを分離した状態を示す断面図である。
【００２９】
図１に示すように、レバー嵌合式コネクタ１は、一対の嵌合フード部２Ａ、２Ｂを有する雌コネクタ３と、これら嵌合フード部２Ａ、２Ｂに嵌合される雄コネクタ本体４を有する雄コネクタ５と、雄コネクタ５に回動自在に支持されて回動により雄コネクタ５と雌コネクタ３とを嵌合・離脱させるレバー６とを備えている。
【００３０】
特に、本実施例では、図２に示すように、雄コネクタ本体４が第１コネクタ分割体４Ａと第２コネクタ分割体４Ｂとを合体させることにより構成されている。図２に示すように、第１コネクタ分割体４Ａと第２コネクタ分割体４Ｂは、嵌合フード部２Ａ、２Ｂにそれぞれ嵌合されるコネクタ挿入部７Ａ、７Ｂと、これらコネクタ挿入部７Ａ、７Ｂのそれぞれの外周を所定の隙間を介して覆うように形成された防水フード部８Ａ、８Ｂとを備えてなる。これら防水フード部８Ａ、８Ｂは、嵌合フード部２Ａ、２Ｂへコネクタ挿入部７Ａ、７Ｂが嵌合した状態で嵌合フード部２Ａ、２Ｂの外側に密着して覆うように設定されている。なお、図１及び図２に示すように、第１コネクタ分割体４Ａの上下両面の所定位置には、レバー６を軸支するための回転軸２１が突設されている。また、第１コネクタ分割体４Ａの後部には、第２コネクタ分割体４Ｂに係当する嵌合荷重受け部２２が形成されている。
【００３１】
コネクタ挿入部７Ａ、７Ｂは、図２に示すように、嵌合方向の前面に複数の端子挿入孔９、１０がそれぞれ所定の配列、ピッチで設けられている。また、これら端子挿入孔９、１０内には、図４に示すように、被接続端子１１、１２が配置されている。
【００３２】
一方、雌コネクタ３は、図４に示すように、嵌合フード部２Ａ、２Ｂの内奥に、コネクタ挿入部７Ａ、７Ｂ内の被接続端子１１、１２の配置と対応するように
それぞれ複数の接続端子１３、１４が配置されている。
【００３３】
次に、雄コネクタ本体４を構成する第１コネクタ分割体４Ａと第２コネクタ分割体４Ｂの結合構造について説明する。
【００３４】
図２に示すように、第１コネクタ分割体４Ａの防水フード部８Ａの結合面１５には、弾性部材としての対をなす係合突起１６、１６が２対平行に形成されている。なお、これらの係合突起１６は、嵌合方向に沿って延在されている。なお、対をなす係合突起１６、１６は、結合面１５側から自由端へ向けて互いに距離を広げるように斜め方向に拡開して断面が略ハ字状に形成されている
一方、第２コネクタ分割体４Ｂの結合面１７には、上記した第１コネクタ分割体４Ａ側の各対の係合突起１６、１６を収納する２つの係合溝１８が嵌合方向に沿って形成されている。この係合溝１８の幅方向の両側壁は、係合突起１６の傾きに応じてオーバーハングした斜面となっている。このため、一対の係合突起１６、１６は、係合溝１８に収納されたときに、係合溝１８から離脱しないようになっている。
【００３５】
特に、本実施例では、図３に示すように、係合突起１６は、被係合溝１８に収納された状態で結合面１５、１７同士の間に所定のクリアランスが設定されている。このような形状とすることにより、係合突起１６が撓むことによって発生する反発性を利用して互いに隣接する結合面１５、１７同士の間の距離Ｓを変化させることができる。
【００３６】
また、第１コネクタ分割体４Ａの結合面１５における２対の係合突起１６、１６の間の嵌合方向後端部には、ロックアーム１９が形成されている。このロックアーム１９は、反発力を有する板片であり、結合面１５から結合方向へ向けて斜めに突出するように防水フード部８Ａに一体に形成されている。このロックアーム１９には、ロック用突部１９Ａが突設されている。一方、第２コネクタ分割体４Ｂの結合面１７には、このロックアーム１９のロック用突部１９Ａが嵌合するロック穴２０が形成されている。このロック用突部１９Ａがロック穴２０に嵌合することにより、第１コネクタ分割体４Ａと第２コネクタ分割体４Ｂとが適正に位置決めされる。
【００３７】
以上、本実施例に係るレバー嵌合式コネクタ１の構成について説明したが、次に作用・効果について説明する。
【００３８】
本実施例に係るレバー嵌合式コネクタ１では、第１コネクタ分割体４Ａと第２コネクタ分割体４Ｂに形成した係合突起１６と被係合溝１８を、雌コネクタ３と雄コネクタ５の嵌合方向に沿って並行に配置したことにより、雌コネクタ３と雄コネクタ５とを嵌合させる際に、第１コネクタ分割体４Ａと第２コネクタ分割体４Ｂの嵌合荷重をそれぞれ分離させることができ、設定したクリアランスＳを無理なく使うことができる。
【００３９】
また、本実施例に係るレバー嵌合式コネクタ１では、第１コネクタ分割体４Ａの結合面１５に形成された第１コネクタ分割体４Ａにおける結合面１５からこの結合面１５に最も近い被接続端子１１までの距離が第２コネクタ分割体４Ｂの結合面１７に形成されたロック穴２０に係合することにより保持されるようになっているため、第１コネクタ分割体４Ａと第２コネクタ分割体４Ｂとが不完全な合体をすることを防止して、雄コネクタ５が雌コネクタ３へ確実に嵌合することができる。
【００４０】
さらに、第１コネクタ分割体４Ａと第２コネクタ分割体４Ｂとが、弾性部材としての係合突起１６を介して、結合面１５、１７に対して垂直な方向に所定の長さ範囲で接離可能に保持されているため（クリアランスＳが設定されているため）、このクリアランスＳで端子ピッチの累積公差を吸収して、雌コネクタ３と雄コネクタ５とを無理なく嵌合させることができる。
【００４１】
具体的には、図４に示すように、第１コネクタ分割体４Ａにおける結合面１５からこの結合面１５に最も近い被接続端子１１までの距離がＡ、結合面１７から最も近い被接続端子１２までの距離がＢ、第１コネクタ分割体４Ａにおける結合面１５からこの結合面１５に最も近いコネクタ挿入部７Ａのシール面までの距離をＣ、結合面１７から最も近いコネクタ挿入部７Ｂのシール面までの距離がＤ、嵌合フード部２Ａ、２Ｂの隣接する部分のシール面同士の距離をＥ、嵌合フード部２Ａ、２Ｂ内の接続端子１３、１４の最も近い距離をＦとすると、距離Ｂに対して距離Ａ、Ｃは完全に分離しているため、累積ピッチ公差をクリアランスＳで吸収することができる。すなわち、雌コネクタ３側のシール面の精度が低く、距離Ｅの精度が低い場合であっても、雄コネクタ本体４側が第１コネクタ分割体４Ａと第２コネクタ分割体４Ｂとの間にクリアランスＳを介して設けられているため、累積ピッチ公差を吸収することができる。
【００４２】
また、このレバー嵌合式コネクタ１では、上述のように雌コネクタ３と雄コネクタ５とを無理なく嵌合させることができるため、雌コネクタ３の嵌合フード部２Ａ、２Ｂに雄コネクタ５を正常に嵌合させることができる。したがって、本実施例のように防水タイプのレバー嵌合式コネクタ１の場合に、雌コネクタ３の嵌合フード部２Ａ、２Ｂの内周面と雄コネクタ５のコネクタ挿入部７Ａ、７Ｂの外周面とでシール面を構成するように設計された構造である場合に、防水効果を高めることができる。
【産業上の利用可能性】
【００４３】
この発明は、配線の接続装置を製造する分野で利用することができる。
【図面の簡単な説明】
【００４４】
【図１】本発明の実施例に係るレバー嵌合式コネクタの斜視図である。
【図２】本発明の実施例に係るコネクタ本体を分離した状態を示す斜視図である。
【図３】本発明の実施例に係るレバー嵌合式コネクタにおけるコネクタ本体の結合部分を示す要部断面図である。
【図４】本発明の実施例に係るレバー嵌合式コネクタの分離状態を示す断面図である。
【図５】従来のレバー嵌合式コネクタのコネクタ本体の分離状態を示す斜視図である。
【図６】従来のレバー嵌合式コネクタのコネクタ本体の結合部分の要部断面図である。
【符号の説明】
【００４５】
１  レバー嵌合式コネクタ
２Ａ、２Ｂ  嵌合フード部
３  雌コネクタ
４  雄コネクタ本体
５  雄コネクタ
６  レバー
７Ａ、７Ｂ  コネクタ挿入部
８Ａ、８Ｂ  防水フード部
１５、１７  結合面
１６  係合突起
１８  係合溝
１９  ロックアーム
２０  ロック穴
２２  嵌合荷重受け部
【図１】
2005166278.tif 000003
【図２】
2005166278.tif 000004
【図３】
2005166278.tif 000005
【図４】
2005166278.tif 000006
【図５】
2005166278.tif 000007
【図６】
2005166278.tif 000008